(57)【要約】　　　（修正有）【課題】林業整備を促すための間伐材の用途開発、林業整備による沿岸浅海の藻場、魚礁開発、加えてガラス廃材の有効利用などを繋ぐ一連の環境改善、漁業資源の確保に効果を挙げる魚礁を提供する。【解決手段】破砕ガラス瓶等でなるガラス廃材よりつくった発泡ガラス骨材を混入した低アルカリセメントでなるコンクリート１１で、皮付き間伐材９を固着し、海藻育成促進床としたものを無塗装鋼製枠体２に配設した魚礁を多数造って浅海に沈設し、林業と漁業を繋ぐ地球温暖化対策とし、環境改善と海洋牧場を実現する。【選択図】　　　　　図１
2004097004.tif 000002
【特許請求の範囲】
【請求項１】
鋼材と木材とコンクリートとを主構成部材とするハイブリッド魚礁において、鋼材が無塗装鋼材であり、木材が自然表皮付き木材であり、コンクリートがガラス廃材を用いた発泡ガラス骨材を含むコンクリートである事を特徴とするハイブリッド魚礁。
【請求項２】
無塗装鋼材が熱間圧延鋼材および／もしくは熱間圧延型鋼であり、自然表皮付き木材が少なくとも外面の１／４に表皮を持つ間伐材であり、コンクリートが表層部に２０〜６０ｗｔ％の発泡ガラス骨材を含む表層部ＰＨ６〜９以下の低アルカリセメントを用いたコンクリートである請求項１に記載のハイブリッド魚礁。
【請求項３】
低アルカリセメントが低アルカリ形ポルトランドセメント、高炉スラグセメント、製鋼スラグセメント、フライアッシュセメントである請求項１ないし２に記載のハイブリッド魚礁。
【請求項４】
自然光および／もしくは人工光を受け易い部分に前記間伐材と前記コンクリートとを備えてなる海藻育成促進床を配設した請求項１ないし３の内いずれか１項に記載の直方体篭型のハイブリッド魚礁。
【請求項５】
水深０〜１００ｍ望ましくは水深５〜５０ｍの浅海に沈設する請求項１ないし４の内いずれか１項に記載のハイブリッド魚礁。
【発明の詳細な説明】
【０００１】
【産業上の利用分野】
本発明は、ハイブリッド魚礁に関し、より詳しくは枠体を構成する鋼材と藻場となるべき間伐材と特殊コンクリートを主要部材とする海藻育成促進床とを含んでなるハイブリッド魚礁に関する。
【０００２】
【従来技術と課題】
従来、海中に沈設する魚礁、藻礁には、▲１▼特公平４−３５１２７、▲２▼特開２０００−１９７４２６等があり、先ず海中における藻場や植物性プランクトンの蝟集する基礎環境の構築が食物連鎖による魚類蝟集群落を誘発し、更に海中湧昇流の利用等により、動植物プランクトンないし、各種稚魚や幼生の高密度蝟集化を促して、魚類棲息条件の向上を招く事がこれら魚礁の目的ないし効果として挙げられている。
【０００３】
▲１▼は本願出願人関係者が以前に出願したもので、「鋼製魚礁ユニットコア及び鋼製魚礁」の発明であり、予め造ったユニットコアを用いて大型の鋼製魚礁を海中で組み立てられるようにしたもので、特許されかつ実用化されて大きな成果を挙げている。但しこれは角管や鋼板などの鉄鋼素材のみで組み立てられており横行海流を湧昇流として利用して魚類、蝟集を目的とするが海藻育成促進床については特に考慮されていない。
【０００４】
一方▲２▼は海藻育成促進床の構造の改善に注目した発明であって、主として板状ポーラスコンクリートを用いて海藻群落の形成に寄与するものであるが、魚類蝟集効果は海藻群落の付随的効果に過ぎず、格別の工夫は認められない。
【０００５】
しかし、一方で水深約２００ｍ未満の大陸棚やさらに陸地に近い浅海こそ貴重な魚類資源の再生産領域であるにも拘わらず、現代文明の大量エネルギー消費による温室化ガスであるＣＯ２の大量発生による地球温暖化現象により、例えば南太平洋におけるマングローブの減少、南北両極の氷山氷河融解による水位上昇、工場や人工密集地帯からの有害物質流入による海洋汚染などによって、全地球的に人類の貴重な蛋白源である魚類の資源は枯渇し始めている事は誰も否定出来ない。
【０００６】
加えて漁場に適した近海魚場の整備は、回遊魚の種の保存とも切っても切り離せないものであり、日本海の大和堆のような巨大な自然魚礁の他に、積極的に人工魚礁を近海、浅海域に設けて海洋牧場とし、失いつつある魚類の保存、育成を図らなければ遠からず、人類そのものがその生存を続けられなくなる危機に瀕していると云わざるを得ない。
【０００７】
そして従来云われているように、魚類の育成には緑の自然、すなわち自然保護のための林業の充実が不可欠である。すなわち『緑陰なきところに魚影なし。』が鉄則である。
【０００８】
従って、近海魚のみならず鮪、鰹、鯖、鮭、鱒等の回遊魚類まで、これらの繁殖、増殖を図るためには林業の拡充をしなければならない事は衆目の一致する処であるにも拘わらず、我が国林業は安値の輸入外材に押されて、林業の整備は屡々等閑視されているが如くである
そこで本発明者等は林業整備のために発生する杉、桧、カヤ、ナラ、松等の間伐材の自然表皮を持ったままの木材を有効利用して魚礁素材の一部とし、一方でガラス瓶などの産業廃棄物である廃材から生ずるガラスカレットを加工して発泡ガラス骨材としてコンクリートに投入し、これらを併せて高効率の魚礁を得んとして日夜鋭意研究の結果、遂にこれらを結合した理想の魚礁を発明するに至った。
【０００９】
【発明の目的】
本発明の目的は、
間伐材などの皮付き木材や、ガラス瓶破片等の産業廃棄物を素材の一部として有効利用しつつ、水深０〜１００ｍ程度の陸地に近い浅海における魚類繁殖促進に著しい効果を挙げる魚礁を提供する事である。
【００１０】
本発明の他の目的は、経時による皮付き部材の劣化を利用した藻場形成をも作用効果に取り込んだ新規魚礁を提供する事である。
【００１１】
本発明の更に他の目的は発泡ガラス骨材を含む低アルカリコンクリートによって前記皮付き木材を支持する事により、長期に亘って藻場を育成し得る魚礁を提供するにある。
【００１２】
【発明の構成】
本発明により、
鋼材と木材とコンクリートとを主構成部材とするハイブリッド魚礁において、鋼材が無塗装鋼材であり、木材が自然表皮付き木材であり、コンクリートがガラス廃材を用いた発泡ガラス骨材を含むコンクリートである事を特徴とするハイブリッド魚礁（請求項１）、
無塗装鋼材が熱間圧延鋼材および／もしくは熱間圧延型鋼であり、自然表皮付き木材が少なくとも外面の１／４に表皮を持つ間伐材であり、コンクリートが表層部に２０〜６０ｗｔ％の発泡ガラス骨材を含む表層部ＰＨ６〜９以下の低アルカリセメントを用いたコンクリートである請求項１に記載のハイブリッド魚礁（請求項２）、
低アルカリセメントが低アルカリ形ポルトランドセメント、高炉スラグセメント、製鋼スラグセメント、フライアッシュセメントである請求項１ないし２に記載のハイブリッド魚礁（請求項３）、
自然光および／もしくは人工光を受け易い部分に前記間伐材と前記コンクリートとを備えてなる海藻育成促進床を配設した請求項１ないし３の内いずれか１項に記載の直方体篭型のハイブリッド魚礁（請求項４）、
および
水深０〜１００ｍ望ましくは水深５〜５０ｍの浅海に沈設する請求項１ないし４の内いずれか１項に記載のハイブリッド魚礁（請求項５）
が提供される。
【００１３】
以下に実施例を用いて本発明を詳細に説明する。
【００１４】
【実施例】
図１は実施例ユニット斜視図、図２は他の実施例ユニット斜視図、図３は経時前の海藻育成促進床の断面図、図４は経時後の海藻育成促進床の断面図、図５は組立２層十字型魚礁（実施例）斜視図である。
【００１５】
図１〜５において、１は本発明実施例であるハイブリッド魚礁ユニット、２は鋼製枠体（アングル）、４は鋼板壁、６は水平海藻育成促進床、７は鉛直海藻育成促進床、８はコンクリート床Ａ、９は間伐材（自然表皮付き丸太）、９Ｋは経時後間伐材残部、１０は表皮、１１はコンクリート床Ｂ、１３は発泡ガラス骨材、１５，１６は海藻である。
【００１６】
図１において、１は丁度トラックの荷台に積めるサイズの直方体篭状のハイブリッド魚礁ユニットであって、熱延型鋼もしくは熱延鋼板をベンディング加工して得た鋼製枠体２であり、その一部には熱延鋼板でなる鋼板壁４も溶接されていて、これらの配置を若干非対称とする事により、横行潮流を湧昇流として養分や動植物性プランクトンの移動を促進する。
【００１７】
図２は鋼板壁４の代わりに鉛直海藻育成促進床７を溶接してある。また水平海藻育成促進床６、鉛直海藻育成促進床７のコンクリート床８に表皮付き丸太である間伐材９が半分埋まる形で固着されている。間伐材の表皮は半分程度ついていればよく、２つに縦割りされた丸太すなわち半丸太であってもよいし、一部に表皮が１／４以上残っていれば、その部分を露出配置した板であっても良い。一般に海藻の付着、生育に適した表皮は少なくとも間伐材表面の１／４以上ある事が望ましい。
【００１８】
海藻育成促進床６，７のコンクリート床８は図３のように発泡ガラス骨材入りの低アルカリコンクリートで造られており、その表層部には発泡ガラス骨材１３が２０〜６０ｗｔ％に高密度分散しており、コンクリート表面には発泡ガラス骨材１３の一部は露出している。従ってコンクリート表面は他の砂や破砕された貝殻などの骨材を含んでおり、更に発泡しているので細かい凹凸が激しく、海藻１５，１６が物理的に着床し易い。
【００１９】
また、発泡ガラス骨材は光を吸収し易く、入射光は内部で反射、屈折を繰り返すので海藻の光合成活動を促す効果がある。発泡ガラス骨材は混入率が２０ｗｔ％未満であると本発明効果がなく、６０ｗｔ％を超えるとコンクリートとしての固着機能を果たさなくなるためである。
【００２０】
水平、鉛直海藻育成促進床６，７は低アルカリセメントないし、高炉／製鋼スラグセメントなどを用いて打設するので海藻類がセメントのアルカリ成分で害される事がない。セメントはその他低アルカリであればフライアッシュ混合セメントなどでも良いが、一般にコンクリート表層部が固まってからセメントないしコンクリートの定量を水満ビーカーに沈め、一定時間後に水を採取してＰＨ計で測定し略ＰＨ６〜９であればＯＫである。ＰＨが６未満では、酸性が強くなってコンクリートの構造機能を果たせなくなるからであり、またＰＨが９を超えるとアルカリ性が強くなって動植物の生活環境に適さなくなるためである。従って、前に表面粗度を確保できれば、ＡＬＣ（ＡｕｔｏｃｌａｖｅｄＬｉｇｈｔ　ｗｅｉｇｈｔ　Ｃｏｎｃｒｅｔｅ）の表層を加工したものでも使用し得る。
【００２１】
海藻は前記のように、水中を漂う幼生、細胞または遊走する遊走子などによって単性ないし両性増殖するが、特に間伐材の表皮や幹部に着床しやすい傾向があり、３〜４年経時後は図４のように間伐材が腐食によって残部のみになってもその部分に多くの海藻１５が繁茂する。これは分解した木質セルロースや樹脂が栄養源となるためかも知れない。なお光合成は自然光である日光や人工光（特に波長４００〜５００ｎｍの青色、６００〜７００ｎｍの赤色、略７００ｎｍの近赤外線などの自然光）が照射されると活発化し、海藻類は活発にＣＯ２を吸収してＯ２を排出し、生長する。同時にこれらのアラメ、カジメ、ホンダワラ、コンブ等の海藻が成長するとアワビ、サザエ、ウニなどの幼生が成長する。
【００２２】
こうなると同時にこの海中林周辺には動植物性プランクトンが増殖し、小型の魚類、稚魚等が産卵されて育つ。これより食物連鎖が生まれ、中型魚、大型魚が蝟集するのである。尤も魚礁にはシェルター効果もあって超大型魚は身の不自由のため狭い魚礁内部には入って来ないので、中型、小型魚は本発明魚礁内で比較的安全に生育する事が出来る。
【００２３】
なお、鋼製枠２はペイントを塗装せず、裸のまま、ＦｅＯ，Ｆｅ３Ｏ４，Ｆｅ２Ｏ３などの鉄酸化物が露出するので、海藻や小型稚魚、幼生の付着容易性と安全性が確保される。
【００２４】
ハイブリッド魚礁の沈設場所は魚礁天井部が常に海水に濡れる平均水深０ｍから１００ｍの範囲が良い。水深１００ｍを超えると海水の透明度（ＳＳが少ない）にもよるが自然光が届き難くなるからである。望ましくは環境条件の安定した水深５〜５０ｍが良い。
【００２５】
本発明ハイブリッド魚礁ユニツトは海底にコテージ風に散開配置しても良いが、水沈１５ｍ以上もあれば、図５のようにユニットを組合せ、２層、３層の十字型マンション風に構築する事が出来る。
【００２６】
【発明の効果】
本発明を実施する事により、前記目的のすべてが達成できる。即ち間伐材などの皮付き木材や、ガラス瓶破片等の産業廃棄物を素材の一部として有効利用しつつ、水深０〜１００ｍ程度の陸地に近い浅海における魚類繁殖促進に著しい効果を挙げる魚礁を提供し、経時による皮付き部材の劣化を利用した藻場形成をも作用効果に取り込んだ新規魚礁を提供する事ができ、また発泡ガラス骨材を含む低アルカリコンクリートによって前記皮付き木材を支持する事により、長期に亘って藻場を育成し得る魚礁を提供することが出来る。
【図面の簡単な説明】
【図１】実施例ユニット斜視図。
【図２】他の実施例ユニット斜視図。
【図３】経時前海藻育成促進床の断面図。
【図４】経時後の海藻育成促進床の断面図。
【図５】組立２層十字型魚礁（実施例）斜視図。
【符号の説明】
１　　　　　本発明実施例であるハイブリッド魚礁ユニット
２　　　　　鋼製枠体（アングル）
４　　　　　鋼板壁
６　　　　　水平海藻育成促進床
７　　　　　鉛直海藻育成促進床
８　　　　　コンクリート床Ａ
９　　　　　間伐材（自然表皮付き丸太）
９Ｋ　　　　経時後間伐材残部
１０　　　　表皮
１１　　　　コンクリート床Ｂ
１３　　　　発泡ガラス骨材
１５，１６　海藻
【図１】
2004097004.tif 000003
【図２】
2004097004.tif 000004
【図３】
2004097004.tif 000005
【図４】
2004097004.tif 000006
【図５】
2004097004.tif 000007
【手続補正書】
【提出日】平成14年9月4日(2002.9.4)
【手続補正１】
【補正対象書類名】明細書
【補正対象項目名】特許請求の範囲
【補正方法】変更
【補正の内容】
【特許請求の範囲】
【請求項１】
鋼材と木材とコンクリートとを主構成部材とするハイブリッド魚礁において、鋼材が無塗装鋼材であり、木材が自然表皮付き木材であり、コンクリートがガラス廃材を用いた発泡ガラス骨材を含むコンクリートである事を特徴とするハイブリッド魚礁。
【請求項２】
無塗装鋼材が熱間圧延鋼材および／もしくは熱間圧延型鋼であり、自然表皮付き木材が少なくとも外面の１／４に表皮を持つ間伐材であり、コンクリートが表層部に２０〜６０ｗｔ％の発泡ガラス骨材を含む表層部ＰＨ６〜９の低アルカリセメントを用いたコンクリートである請求項１に記載のハイブリッド魚礁。
【請求項３】
低アルカリセメントが低アルカリ形ポルトランドセメント、高炉スラグセメント、製鋼スラグセメント、フライアッシュセメントである請求項１ないし２に記載のハイブリッド魚礁。
【請求項４】
自然光および／もしくは人工光を受け易い部分に前記間伐材と前記コンクリートとを備えてなる海藻育成促進床を配設した請求項１ないし３の内いずれか１項に記載の直方体篭型のハイブリッド魚礁。
【請求項５】
水深０〜１００ｍ望ましくは水深５〜５０ｍの浅海に沈設する請求項１ないし４の内いずれか１項に記載のハイブリッド魚礁。
【手続補正２】
【補正対象書類名】明細書
【補正対象項目名】００１２
【補正方法】変更
【補正の内容】
【００１２】
【発明の構成】
本発明により、
鋼材と木材とコンクリートとを主構成部材とするハイブリッド魚礁において、鋼材が無塗装鋼材であり、木材が自然表皮付き木材であり、コンクリートがガラス廃材を用いた発泡ガラス骨材を含むコンクリートである事を特徴とするハイブリッド魚礁（請求項１）、
無塗装鋼材が熱間圧延鋼材および／もしくは熱間圧延型鋼であり、自然表皮付き木材が少なくとも外面の１／４に表皮を持つ間伐材であり、コンクリートが表層部に２０〜６０ｗｔ％の発泡ガラス骨材を含む表層部ＰＨ６〜９の低アルカリセメントを用いたコンクリートである請求項１に記載のハイブリッド魚礁（請求項２）、
低アルカリセメントが低アルカリ形ポルトランドセメント、高炉スラグセメント、製鋼スラグセメント、フライアッシュセメントである請求項１ないし２に記載のハイブリッド魚礁（請求項３）、
自然光および／もしくは人工光を受け易い部分に前記間伐材と前記コンクリートとを備えてなる海藻育成促進床を配設した請求項１ないし３の内いずれか１項に記載の直方体篭型のハイブリッド魚礁（請求項４）、
および
水深０〜１００ｍ望ましくは水深５〜５０ｍの浅海に沈設する請求項１ないし４の内いずれか１項に記載のハイブリッド魚礁（請求項５）
が提供される。